(57)【要約】【課題】ごみの掻き揚げ不良がなく構造が簡単な昇降式除塵機を提供する。【解決手段】スクリーン１の前面両側に上流側レール４と下流側レール３を上下２段に併設したコ状レール２，２を設け、前記上流側レール４の下部は切換室４ａを介して下流側レール３、３の下部と連通させ、下流側レール３，３の上端はそれぞれ逆止弁状の進路切換片１０，１０を介して、上流側レール４、４と連通させる。前記コ状レール２内に摺動自在に昇降するレーキ７を設けたキャリッジ５の走行車輪６，６，６，６を挿入する。【選択図】    図２
2004339888.tif 000002
【特許請求の範囲】
【請求項１】
スクリーンの前面を昇降するレーキを備えたキャリッジの両側に前輪と後輪から成る走行車輪を設け、且つ前記スクリーンの両側に走行車輪のレールを２段に並設し、その上流側レールの下部を切換室を介して下流側レールの下部と連通させ、下流側レールの上部は逆止弁状の進路切換片を介して上流側レールと連通したことを特徴とする昇降式除塵機。
【請求項２】
走行車輪の前輪の巾を、後輪の巾より小さくすると共に、下流側レールの上部に設けた進路切換片を走行車輪の降下時に、後輪は上流側レールへ進路を換え、前輪は再び下流側レールへ戻る構造としたことを特徴とする請求項１記載の昇降式除塵機。
【請求項３】
レールの上部を機枠に枢着してレールを揺動自在とし、そのレールを巻上装置などで起伏自在としたことを特徴とする請求項１または請求項２記載の昇降式除塵機。
【発明の詳細な説明】
【０００１】
【発明の属する技術分野】
本発明は、昇降式除塵機に関するものである。
【０００２】
【従来の技術】
従来、スクリーンとレーキを用いた除塵設備には、非特許文献１に記載されるように単一レールでレーキを上下させる除塵機が知られているが、図３．１．４に示されるようにレーキを降下させる場合にスクリーンに付着したごみを削ぎ落とさないよう、または浮遊しているごみをスクリーンの底部に押し下げないようにレーキをスクリーンに沿って上昇・下降させるワイヤーとは別のワイヤーでレーキを持ち上げながら降下させる方法を採っている。
【０００３】
しかし、上記方法ではレーキを回動させるためのワイヤーやそのワイヤーを操作するための機構が必要なため構造が複雑になりメンテナンスがし難く。またレーキが降下後に回動せず持ちあがったままになり、上昇時にスクリーンに付着したごみを除塵できない等の故障が発生し易いといった問題が生じていた。
【０００４】
【非特許文献１】
社団法人水門鉄管協会，「除塵設備設計指針−付設計参考例−」，社団  法人水門鉄管協会，平成１０年１２月２５日，ｐ．２２０
【発明が解決しようとする課題】
そこで本発明は、ごみの掻き揚げ不良がなく構造が簡単な昇降式除塵機を提供しようとするものである。
【０００５】
【課題を解決するための手段】
本発明は、前記の課題を解決するためになされたもので、第１の発明は、スクリーンの前面を昇降するレーキを備えたキャリッジの両側に前輪と後輪から成る走行車輪を設け、且つ前記スクリーンの両側に走行車輪のレールを２段に並設し、その上流側レールの下部を切換室を介して下流側レールの下部と連通させ、下流側レールの上部は逆止弁状の進路切換片を介して上流側レールと連通したことを特徴とする昇降式除塵機である。
【０００６】
第２の発明は、第１の発明において、走行車輪の前輪の巾を後輪の巾より小さくすると共に、下流側レールの上部に設けた進路切換片を走行車輪の降下時に、後輪は上流側レールへ進路を換え、前輪は再び下流側レールへ戻る構造としたことを特徴とする昇降式除塵機である。
【０００７】
第３の発明は、第１または第２の発明において、レールの上部を機枠に枢着してレールを揺動自在とし、そのレールを巻上装置などで起伏自在としたことを特徴とする昇降式除塵機である。
【０００８】
【発明の実施の形態】
図１は本発明の一実施例の正面図、図２はその縦断側面図である。
【０００９】
図１〜図２において、１は傾斜して設けたスクリーン、２，２はスクリーン１の前面両側に並設したコ状レールで、下流側レール３と上流側レール４を２段に設けてある。そして、上流側レール４の下部を切換室４ａを介して下流側レール３の下部と連通させ、下流側レール３の上部と上流側レール４の上部との分岐部に起伏自在に枢着１０ａした逆止弁状の進路切換片１０を介して連通させている。
【００１０】
５は両側に２ケづつ走行車輪６，６，６，６を設けたキャリッジで、レーキ７を所定方向に固定して設け、前記走行車輪６、６、６、６をコ状レール２，２に挿入し、コ状レール２内を摺動自在に昇降するように構成されている。レーキ７はスクリーン１に付着した塵芥を掻き揚げる櫛歯状のもので、キャリッジ５は電動ウインチ８によりワイヤロープ９を介して駆動されるように構成されている。
【００１１】
なお、実施例のものはレール２，２の上部をヒンジ１４，１４で機枠に枢着し、引揚げ用ワイヤーロープ１３で、レールの点検又は修繕、スクリーンの掃除等の場合にヒンジ１４を支点としてレール２を河川上に引揚げる構造となっている。
【００１２】
以上のように構成されるので、電動ウインチ８を駆動すると、ワイヤロープ９が巻上げられ、キャリッジ５及び櫛歯状のレーキ７が上昇する。
【００１３】
レーキ７が上昇し、スクリーン１の最上部に達すると、下流側レール３，３を移動していたキャリッジ５が下流側レール３と上流側レール４の分岐部に設けた進路切換片１０を押し開いて越え、図２において想像線図示のようにコ状レール２上端のスイッチバック部１１においてエプロン１２の上端に達するとごみは自重によりエプロン１２内へ落下する。
【００１４】
ごみの掻き揚げ終了後、電動ウインチ８に設けたクラッチを外して（逆回転式としてもよい）、キャリッジ５を降下させると、キャリッジ５の走行車輪６，６，６，６は進路切換片１０の上面を移動し、そのままコ状レール２の上流側レール４，４上を移動し、ごみがスクリーン１に引っ掛かっていても、レーキ７は引っ掛かっているごみを掻き降ろすことなく降下し、レール２の下端に達すると切換室４ａを介してキャリッジ５は下流側レール３，３の下端に位置するようになる。この時、スクリーン１の底部にごみがあるとレーキ７がごみを底部に押し下げてしまうためワイヤーロープ１３によりレール２をわずかに引揚げ、再び降ろす動作を行うことでごみをレーキ７によって掻き揚げるため、ごみを底部に押し下げることを防ぐことができる。
【００１５】
以上説明した実施例では、上下移動の設備としてワイヤロープを用いた電動ウインチの場合を例示したが、電動ウインチの代りに手動ウインチを使用してもよい。
【００１６】
図３は上記実施例とは別の実施例を示すもので、基本的動作は上記実施例と同様である。この実施例では、切換レール４ａ，４ｂを平行に設けたもので、キャリッジ５の走行車輪６，６が上流側レール４’から下流側レール３’の切換レール４ａ、４ｂを通って切換わる時に底部に対して平行に移動するので、スクリーン１の底部に溜まったごみを押し下げることがない。しかし、ごみの量が多くまたは拡がっている場合は、前記の実施例と同様にワイヤーロープ１３によりレール２’を引揚げ再び降ろすことでごみをレーキ７により掻き揚げるようにする。
【００１７】
図４は他の異なる実施例を示すもので、この実施例では２段に設けた下流側レール３”と上流側レール４”を前記２つの実施例のように周回移動するものではなく、上昇時にキャリッジ５は下流側レール３”を上昇し、降下時はキャリッジ５の前輪６ａは下流側レール３”を、後輪６ｂは上流側レール４”を降下するように構成したものである。
【００１８】
レール２”の構成は、基本的には図２に示した実施例と同様であるが、キャリッジ５の走行車輪の前輪６ａの巾を図５に示すように後輪６ｂの巾より小さくすると共に、進路切換片１０’の構造を走行車輪の降下時に後輪６ｂは上流側レール４”へ進路を変え前輪６ａは再び下流側レール３”へ戻る構造としたものである。図５に示した実施側では進路切換片１０’に前輪６ａが通過し得る切欠部１０’ｂを設けたものであるが、進路切換片１０’の巾を後輪のみが渡る構造としてもよい。
【００１９】
このように構成すると、図４において、電動ウインチ８を起動してワイヤーロープ９を緩めると、キャリッジ５がスイッチバック部１１から降下をはじめるが、後輪６ｂは進路切換片１０’上をそのまま通過して上流側レール４”へ移動して進路を切換えられるが、前輪６ａは切欠部１０’ｂに落ちて下流側レール３”に戻って降下する。
【００２０】
すなわち、キャリッジ５は、上流側レール４”と下流側レール３”に跨った状態で降下する。そのためキャリッジ５に設けたレーキ７はスクリーン１より離れ、次々にスクリーン１に引掛って来るごみに接触しない状態で降下する。
【００２１】
そして、キャリッジ５が最下位まで降下後、電動ウインチ８を逆転させて引揚げに移ると、スクリーン１に引っ掛かっているごみに、恰も鍬入れをするように運動し、今度は前輪６ａ及び後輪６ｂは下流側レール３”中を上昇することになるので、スクリーン１上のごみを掻き揚げる。
【００２２】
以上のように、この実施例の場合、電動ウインチ８によるキャリッジ５の上昇時にレーキ７による鍬入れ動作が付加されるので、ごみがスクリーン１の下に堆積した時、前記２つの実施例のように引揚げ用ワイヤーロープ１３を使う必要が無い。
【発明の効果】
以上、本発明ではレールを２段構造とし、キャリッジ５をその２段のレール中を移動させる方式を採ったので、レーキを持ち上げるような複雑な構造をとることなく、レーキの降下時はごみの噛み込みを防止し、また第２及び第３の発明によれば、降下後底部のごみを掻き揚げることもできる。更にレーキを上昇・下降する単純な巻上装置のみで足りるため、メンテナンスが簡単で故障が少ない安価な昇降式除塵機を実現することができる。
【図面の簡単な説明】
【図１】本発明の一実施例の正面図。
【図２】本発明の一実施例の縦断側面図。
【図３】本発明の他の実施例の縦断側面図。
【図４】本発明の他の異なる実施例の縦断側面図。
【図５】図４に示す実施例の進路切換片と車輪の構造を示す正面図。
【符号の説明】
１        スクリーン
２        コ状レール
３        下流側レール
４        上流側レール
４ａ      切換室
５        キャリッジ
６        車輪
６ａ      前輪
６ｂ      後輪
７        レーキ
８        電動ウインチ
９        ワイヤロープ
１０        進路切換片
１１        スイッチバック部
１２        エプロン
１３        引揚げ用ワイヤーロープ
１４        ヒンジ
【図１】
2004339888.tif 000003
【図２】
2004339888.tif 000004
【図３】
2004339888.tif 000005
【図４】
2004339888.tif 000006
【図５】
2004339888.tif 000007